【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
別のデバイスを含む複数のデバイスとの通信のための個別のアンテナ方向のセットを装置がそれぞれ判断することと、ここで、前記個別のアンテナ方向のセットは、前記別のデバイスに信号を送信するための第１の最適なアンテナ方向と、前記別のデバイスからの信号を受信するための第２の最適なアンテナ方向と、１つまたは複数の他のアンテナ方向とを含み、前記第１の最適なアンテナ方向は、前記第２の最適なアンテナ方向とは異なる、
前記別のデバイスへの第１の信号の送信のために通信媒体が利用可能かどうかを前記装置が判断することと、ここにおいて、前記判断は、
前記セットのうちの前記第１および第２の最適なアンテナ方向によってのみ第２の信号を受信するためのアンテナを構成することと、
前記アンテナが前記第１および第２の最適なアンテナ方向で構成される間に、前記第２の信号の少なくとも一部分を検出することの欠如または前記第２の信号の特性を判断することと
を備える、
前記通信媒体が利用可能である場合、前記別のデバイスに前記第１の信号を前記装置が送信することと
を備える方法。
【請求項２】
前記特性は、前記第２の信号のエネルギレベルを備え、前記通信媒体が利用可能かの前記判断は、前記第２の信号の前記エネルギレベルが、規定されたレベルよりも低いかどうかを判断することを備える、請求項１に記載の方法。
【請求項３】
ワイヤレス通信のための装置であって、
別のデバイスを含む複数のデバイスとの通信のための個別のアンテナ方向のセットをそれぞれ判断するための手段と、ここで、前記個別のアンテナ方向のセットは、前記別のデバイスに信号を送信するための第１の最適なアンテナ方向と、前記別のデバイスからの信号を受信するための第２の最適なアンテナ方向と、１つまたは複数の他のアンテナ方向とを含み、前記第１の最適なアンテナ方向は、前記第２の最適なアンテナ方向とは異なる、
前記別のデバイスへの第１の信号の送信のために通信媒体が利用可能かどうかを判断するための手段と、ここにおいて、前記判断するための手段は、
前記セットのうちの前記第１および第２の最適なアンテナ方向によってのみ第２の信号を受信するためのアンテナを構成するための手段と、
前記アンテナが前記第１および第２の最適なアンテナ方向で構成される間に、前記第２の信号の少なくとも一部分を検出することの欠如または前記第２の信号の特性を判断するための手段と
を備える、
前記通信媒体が利用可能である場合、前記別のデバイスに前記第１の信号を送信するための手段と
を備える装置。
【請求項４】
前記特性は、前記第２の信号のエネルギレベルを備え、前記通信媒体が利用可能かを判断するための前記手段は、前記第２の信号の前記エネルギレベルが、規定されたレベルよりも低いかどうかを判断するための手段を備える、請求項３に記載の装置。
【請求項５】
命令で符号化された非一時的なコンピュータ可読記憶デバイスを備えるワイヤレス通信のためのコンピュータプログラム製品であって、前記命令は、
別のデバイスを含む複数のデバイスとの通信のための個別のアンテナ方向のセットをそれぞれ判断することと、ここで、前記個別のアンテナ方向のセットは、前記別のデバイスに信号を送信するための第１の最適なアンテナ方向と、前記別のデバイスからの信号を受信するための第２の最適なアンテナ方向と、１つまたは複数の他のアンテナ方向とを含み、前記第１の最適なアンテナ方向は、前記第２の最適なアンテナ方向とは異なる、
前記別のデバイスへの第１の信号の送信のために通信媒体が利用可能かどうかを判断することと、ここにおいて、前記判断は、
前記セットのうちの前記第１および第２の最適なアンテナ方向によってのみ第２の信号を受信するためのアンテナを構成することと、
前記アンテナが前記第１および第２の最適なアンテナ方向で構成される間に、前記第２の信号の少なくとも一部分を検出することの欠如または前記第２の信号の特性を判断することと
を備える、
前記通信媒体が利用可能である場合、前記別のデバイスに前記第１の信号を送信することと
を行うように実行可能である、コンピュータプログラム製品。
【請求項６】
処理システムを備えるワイヤレス通信のための装置であって、前記処理システムは、
別のデバイスを含む複数のデバイスとの通信のための個別のアンテナ方向のセットをそれぞれ判断することと、ここで、前記個別のアンテナ方向のセットは、前記別のデバイスに信号を送信するための第１の最適なアンテナ方向と、前記別のデバイスからの信号を受信するための第２の最適なアンテナ方向と、１つまたは複数の他のアンテナ方向とを含み、前記第１の最適なアンテナ方向は、前記第２の最適なアンテナ方向とは異なる、
前記別のデバイスへの第１の信号の送信のために通信媒体が利用可能かどうかを判断することと、ここにおいて、前記判断は、
前記セットのうちの前記第１および第２の最適なアンテナ方向によってのみ第２の信号を受信するためのアンテナを構成することと、
前記アンテナが前記第１および第２の最適なアンテナ方向で構成される間に、前記第２の信号の少なくとも一部分を検出することの欠如または前記第２の信号の特性を判断することと
を備える、
前記通信媒体が利用可能である場合、前記別のデバイスに前記第１の信号を送信することと
を行うように構成された、装置。
【請求項７】
前記特性は、前記第２の信号のエネルギレベルを備え、前記処理システムは、前記第２の信号の前記エネルギレベルが、規定されたレベルよりも低いかどうかを判断することによって、前記通信媒体が利用可能かを判断するように構成された、請求項６に記載の装置。
【請求項８】
ワイヤレスノードであって、
アンテナと、
処理システムと
を備え、前記処理システムは、
別のデバイスを含む複数のデバイスとの通信のための個別のアンテナ方向のセットをそれぞれ判断することと、ここで、前記個別のアンテナ方向のセットは、前記別のデバイスに信号を送信するための第１の最適なアンテナ方向と、前記別のデバイスからの信号を受信するための第２の最適なアンテナ方向と、１つまたは複数の他のアンテナ方向とを含み、前記第１の最適なアンテナ方向は、前記第２の最適なアンテナ方向とは異なる、
前記別のデバイスへの第１の信号の送信のために通信媒体が利用可能かどうかを判断することと、ここにおいて、前記判断は、
前記セットのうちの前記第１および第２の最適なアンテナ方向によってのみ第２の信号を受信するためのアンテナを構成することと、
前記アンテナが前記第１および第２の最適なアンテナ方向で構成される間に、前記第２の信号の少なくとも一部分を検出することの欠如または前記第２の信号の特性を判断することと
を備える、
前記通信媒体が利用可能であると判断されたとき、前記アンテナを介して前記別のデバイスに前記第１の信号を送信することと
を行うように構成される、ワイヤレスノード。
【請求項９】
前記第１の信号は、データのパケットを備える、請求項１に記載の方法。
【請求項１０】
前記第２の信号の前記少なくとも一部分を検出することの前記欠如の前記判断は、前記第２の信号に関連するパケットが検出されたかどうかを判断することを備える、請求項１に記載の方法。
【請求項１１】
前記第２の信号の前記少なくとも一部分を検出することの前記欠如の前記判断は、前記第２の信号に関連するパケットのプリアンブルが検出されたかどうかを判断することを備える、請求項１に記載の方法。
【請求項１２】
前記第１の信号は、データのパケットを備える、請求項３に記載の装置。
【請求項１３】
前記第２の信号の前記少なくとも一部分を検出することの前記欠如を判断するための前記手段は、前記第２の信号に関連するパケットが検出されたかどうかを判断するための手段を備える、請求項３に記載の装置。
【請求項１４】
前記第２の信号の前記少なくとも一部分を検出することの前記欠如を判断するための手段は、前記第２の信号に関連するパケットのプリアンブルが検出されたかどうかを判断するための手段を備える、請求項７に記載の装置。
【請求項１５】
前記第１の信号は、データのパケットを備える、請求項６に記載の装置。
【請求項１６】
前記処理システムは、前記第２の信号に関連するパケットが検出されたかどうかを判断することによって、前記第２の信号の前記少なくとも一部分を検出することの前記欠如を判断するように構成される、請求項６に記載の装置。
【請求項１７】
前記処理システムは、前記第２の信号に関連するパケットのプリアンブルが検出されたかどうかを判断することによって、前記第２の信号の前記少なくとも一部分を検出することの前記欠如を判断するように構成される、請求項６に記載の装置。
【請求項１８】
前記セット内の個別のアンテナ方向の数は、前記アンテナについての利用可能なアンテナ方向の数よりも少ない、請求項１に記載の方法。
【請求項１９】
前記セット内の個別のアンテナ方向の数は、前記アンテナについての利用可能なアンテナ方向の数よりも少ない、請求項３に記載の装置。
【請求項２０】
前記セット内の個別のアンテナ方向の数は、前記アンテナについての利用可能なアンテナ方向の数よりも少ない、請求項６に記載の装置。
【請求項２１】
前記第２の信号は、プリアンブル部分および別の部分を含むパケットを備え、前記アンテナを構成することは、
前記パケットの前記プリアンブル部分を検出する持続時間の間だけ、前記第１の最適なアンテナ方向で前記第２の信号を受信するための前記アンテナを構成することと、
前記パケットの前記プリアンブル部分を検出する持続時間の間だけ、前記第２の最適なアンテナ方向で前記第２の信号を受信するための前記アンテナを構成することと、
のうちの１つまたは複数を実行することを備える、請求項１に記載の方法。